(57)【要約】【課題】貨幣処理ユニットの電源をショートさせてしまう可能性を簡易に低減することができるとともに、装置本体に係る保守作業と貨幣処理ユニットに係る保守作業とを並行して行うことができる、保守作業効率の良い貨幣処理装置の提供。【解決手段】主電源のオンとオフとを切り替える主電源入切手段６１を有する装置本体１２と、装置本体１２から引き出し可能な貨幣処理ユニット１３，１４と、を有し、装置本体１２の主電源のオンを維持したまま貨幣処理ユニット１３，１４の電源のオンとオフとを切り替える手動スイッチ６３，６４が設けられている。これにより、装置本体１２の主電源をオフすることなく貨幣処理ユニット１３，１４の電源をオフすることができる。【選択図】図２
2018185876.tif 000002
【特許請求の範囲】
【請求項１】
主電源のオンとオフとを切り替える主電源入切手段を有する装置本体と、
該装置本体のカバーが開かれて外部に露出する開閉部を有する貨幣処理ユニットと、を有し、
前記装置本体の主電源のオンを維持したまま前記貨幣処理ユニットの電源のオンとオフとを切り替える手動スイッチが、前記カバーが閉じられると操作不可であり前記カバーが開かれると操作可能な位置に設けられ、
前記カバーが開かれると前記装置本体から前記貨幣処理ユニットへの第１電圧の電源供給をオフし、前記カバーが閉じられると前記装置本体から前記貨幣処理ユニットへの前記第１電圧の電源供給をオンする自動切替手段を有し、
前記手動スイッチは、前記装置本体から前記貨幣処理ユニットへの、前記第１電圧よりも低い第２電圧の電源供給のオンとオフとを切り替えることを特徴とする貨幣処理装置。
【請求項２】
前記貨幣処理ユニットが複数設けられており、
前記手動スイッチが複数の前記貨幣処理ユニット毎に設けられていることを特徴とする請求項１記載の貨幣処理装置。
【請求項３】
前記装置本体はソフトウエアのメンテナンスを行うソフトウエアメンテナンス手段を有しており、
該ソフトウエアメンテナンス手段は、前記装置本体の主電源のオンを維持したまま前記手動スイッチが前記貨幣処理ユニットの電源をオフした状態で、ソフトウエアのメンテナンスを実行可能であることを特徴とする請求項１または２記載の貨幣処理装置。
【発明の詳細な説明】
【技術分野】
【０００１】
本発明は、貨幣を取り扱う貨幣処理装置に関する。
【背景技術】
【０００２】
貨幣処理装置には、例えば、現金を回収する際あるいは現金をセットする際の収納カセットの着脱や、貨幣（紙幣・硬貨）のジャム発生時のジャム排除や、定期点検時のセンサ清掃などを行う際に、作業が行われる部位がある貨幣処理ユニットが装置本体から引き出される構造のものがある。この種の貨幣処理装置においては、装置本体から貨幣処理ユニットが引き出されると貨幣処理ユニットの電源をオフするインタロック機構を備えているものがある（例えば、特許文献１参照）。
【先行技術文献】
【特許文献】
【０００３】
【特許文献１】特開２００７−９４９２７号公報
【発明の概要】
【発明が解決しようとする課題】
【０００４】
上記のような装置では、外部からのアクセスのため貨幣処理ユニットが装置本体から引き出されたり、あるいは装置本体のカバーが開かれて貨幣処理ユニットが外部に露出したりすると、貨幣処理ユニットの駆動系（ＡＣ１００ＶやＤＣ２４Ｖなど）の電源をオフするように構成されている。しかし、これよりも低電圧の貨幣処理ユニットのセンサ系（ＤＣ５ＶやＤＣ１２Ｖなど）の電源は通電状態を維持することが一般的になっている。これは、保守員が定期点検などの保守作業を行う場合、例えば、紙幣のジャム排除等を行う場合に、搬送路にあるセンサのオン状態およびオフ状態を調べる必要があること等による。このため、センサ系の電源を通電状態とする必要がない作業、例えば内部清掃作業を行う際にも、センサ系の電源が通電状態となっている。よって、その分、貨幣処理ユニットの電源をショートさせてしまう可能性が高くなっている。
【０００５】
一方、センサ系の電源をショートさせる可能性を排除するためには、駆動系とセンサ系の両方の電源を落とす必要がある。この場合、装置全体の主電源をオフすることになるため、装置の全体制御を司るメインＣＰＵの電源も切る必要が生じる。近年、メインＣＰＵは、ＯＳが組み込まれている場合が多く、電源シャットダウンには、時間を要するため、すぐに電源を落とすことができずに、保守の作業性を著しく低下させてしまう。また、メインＣＰＵがＲＯＭの更新や、ログデータ収集などの別作業を行っている場合には、この作業が完全に終わるまで、電源を切ることができず、相当な時間のロスとなってしまう。よって、装置全体の主電源をオフすることは簡易には行いにくい状況となっている。
【０００６】
したがって、本発明は、貨幣処理ユニットの電源をショートさせてしまう可能性を簡易に低減することができるとともに、装置本体に係る保守作業と貨幣処理ユニットに係る保守作業とを並行して行うことができる、保守作業効率の良い貨幣処理装置の提供を目的とする。
【課題を解決するための手段】
【０００７】
上記目的を達成するために、請求項１に係る発明は、主電源のオンとオフとを切り替える主電源入切手段を有する装置本体と、該装置本体のカバーが開かれて外部に露出する開閉部を有する貨幣処理ユニットと、を有し、前記装置本体の主電源のオンを維持したまま前記貨幣処理ユニットの電源のオンとオフとを切り替える手動スイッチが、前記カバーが閉じられると操作不可であり前記カバーが開かれると操作可能な位置に設けられていることを特徴とする。
【０００８】
また、前記カバーが開かれると前記装置本体から前記貨幣処理ユニットへの第１電圧の電源供給をオフし、前記カバーが閉じられると前記装置本体から前記貨幣処理ユニットへの前記第１電圧の電源供給をオンする自動切替手段を有し、前記手動スイッチは、前記装置本体から前記貨幣処理ユニットへの、前記第１電圧よりも低い第２電圧の電源供給のオンとオフとを切り替えることを特徴とする。
【０００９】
請求項２に係る発明は、請求項１に係る発明において、前記貨幣処理ユニットが複数設けられており、前記手動スイッチが複数の前記貨幣処理ユニット毎に設けられていることを特徴とする。
【００１０】
請求項３に係る発明は、請求項１または２に係る発明において、前記装置本体はソフトウエアのメンテナンスを行うソフトウエアメンテナンス手段を有しており、該ソフトウエアメンテナンス手段は、前記装置本体の主電源のオンを維持したまま前記手動スイッチが前記貨幣処理ユニットの電源をオフした状態で、ソフトウエアのメンテナンスを実行可能であることを特徴とする。
【発明の効果】
【００１１】
請求項１に係る発明によれば、手動スイッチが、装置本体の主電源のオンを維持したまま貨幣処理ユニットの電源のオンとオフとを切り替えるため、装置本体の主電源をオフすることなく貨幣処理ユニットの電源をオフすることができる。よって、装置本体のカバーを開いた状態で生じ得る貨幣処理ユニットの電源のショートの可能性を簡易に低減することができる。また、手動スイッチが、貨幣処理ユニットを外部に露出させる際に開かれるカバーが閉じられると操作不可であり、このカバーが開かれると操作可能な位置に設けられているため、貨幣処理ユニットのメンテナンスのためカバーが開かれなければ操作されることはなく、カバーが閉じられた状態での誤操作を防止することができる。
【００１２】
また、装置本体のカバーが開かれて貨幣処理ユニットが外部に露出させられると自動切替手段が装置本体から貨幣処理ユニットへの第１電圧の電源供給をオフするため、第１電圧の電源については、メンテナンスのため装置本体のカバーが開かれて貨幣処理ユニットが外部に露出させられると自動的にオフ状態になる。また、手動スイッチは、第１電圧よりも低くオフすることを忘れても影響が比較的小さい第２電圧の電源供給のオンとオフとを切り替えることになる。このように、オフすることを忘れると影響が比較的大きい第１電圧の電源については、メンテナンスのため装置本体のカバーが開かれると自動的にオフ状態にしてショートを防止することができる。
【００１３】
請求項２に係る発明によれば、手動スイッチが複数の貨幣処理ユニット毎に設けられているため、各貨幣処理ユニットの電源のオンとオフとを各手動スイッチで個別に切り替えることができる。
【００１４】
請求項３に係る発明によれば、ソフトウエアメンテナンス手段は、装置本体の主電源のオンを維持したまま手動スイッチが貨幣処理ユニットの電源をオフした状態で、ソフトウエアのメンテナンスを実行可能であるため、貨幣処理ユニットの電源がオフとなっていても、ソフトウエアのメンテナンスを実行できる。よって、貨幣処理ユニットのメンテナンスと、ソフトウエアメンテナンス手段によるソフトウエアのメンテナンスを並行して行うことができ、効率を上げることができる。
【図面の簡単な説明】
【００１５】
【図１】参考技術の貨幣処理装置の要部を示す斜視図である。
【図２】参考技術の貨幣処理装置の要部を示すブロック図である。
【図３】本発明の第１実施形態に係る貨幣処理装置を示す斜視図である。
【図４】本発明の第１実施形態に係る貨幣処理装置の要部を示すブロック図である。
【発明を実施するための形態】
【００１６】
参考技術の係る貨幣処理装置を図１および図２を参照して以下に説明する。
【００１７】
図１に示すように、参考技術の貨幣処理装置１０は、装置本体１２と、装置本体１２に水平方向にスライド可能に支持された複数の貨幣処理ユニット１３および貨幣処理ユニット１４とを有している。貨幣処理ユニット１３は、貨幣処理ユニット１４の上側に重なるように配置されている。これら貨幣処理ユニット１３および貨幣処理ユニット１４は、いずれも装置本体１２に対し前方に引き出し可能であり、後方に押し込み可能となっている。貨幣処理ユニット１３および貨幣処理ユニット１４は、両方同時に引き出し可能となっているが、一方が引き出された状態では他方の引き出しを規制するようにしても良い。
【００１８】
装置本体１２の上部は、貨幣に関する処理を行う部分であり、硬貨の入出金処理を行う硬貨処理装置部１８となっている。貨幣処理ユニット１３および貨幣処理ユニット１４は、貨幣に関する処理を行う部分であり、紙幣の入出金処理を行う紙幣処理ユニットとなっている。
【００１９】
上側の貨幣処理ユニット１３の前面側の上部には、入金紙幣が機外から投入されるとともに出金紙幣を機内から機外へ取り出し可能に繰り出す紙幣入出金口２０が設けられている。貨幣処理ユニット１３は、前面および紙幣入出金口２０を含む前面構成部２１が常に装置外に露出している。貨幣処理ユニット１３は、装置本体１２に最も押し込まれた閉状態では、前面構成部２１を除く部分が、装置本体１２の内側に収納され装置本体１２に覆われて露出しない状態となって操作者によるアクセスが不可となる。また、貨幣処理ユニット１３は、装置本体１２から引き出されると、閉状態で装置本体１２に覆われていた前面構成部２１を除く部分が、装置外に露出することになって操作者によるアクセスが可能となる。つまり、装置本体１２と貨幣処理ユニット１３とが相対移動することにより貨幣処理ユニット１３が開閉する。
【００２０】
貨幣処理ユニット１３には、紙幣の移動を案内する紙幣搬送路を形成するベルトやローラ等からなる図示略の紙幣搬送路形成部材と、紙幣搬送路形成部材を駆動する図２に示す搬送駆動モータ２５と、紙幣搬送路の分岐点で紙幣を振り分ける図示略の振分部材と、振分部材を駆動する図２に示すソレノイド２６と、紙幣搬送路における紙幣の有無を検知する複数の光学式の図２に示す紙幣検知センサ２７とが設けられている。
【００２１】
下側の貨幣処理ユニット１４は、図１に示す前面を含む前面構成部３１が常に装置外に露出している。貨幣処理ユニット１４は、装置本体１２に最も押し込まれた閉状態では、前面構成部３１を除く主体部３２が、装置本体１２の内側に収納され装置本体１２および閉状態にある上側の貨幣処理ユニット１３に覆われて露出しない状態になって操作者によるアクセスが不可となる。また、貨幣処理ユニット１４は、装置本体１２から引き出されると、閉状態で装置本体１２に覆われていた主体部３２が、装置外に露出することになって操作者によるアクセスが可能となる。つまり、装置本体１２と貨幣処理ユニット１４とが相対移動することにより貨幣処理ユニット１４が開閉する。
【００２２】
貨幣処理ユニット１４の両外側にはスライドレール４１が連結されており、これらスライドレール４１は装置本体１２にも連結されている。スライドレール４１は、相対的にスライド自在に連結されたレール部材４２，４３からなっており、内外二重構造で伸縮自在となっている。スライドレール４１は、レール部材４２が貨幣処理ユニット１４に固定され、レール部材４３が装置本体１２にスライド可能に連結されている。これにより、装置本体１２に対し、貨幣処理ユニット１４がスライドレール４１を介してスライド可能に支持されている。図示は略すが、上側の貨幣処理ユニット１３も同様にスライドレールを介して装置本体１２にスライド可能に支持されている。
【００２３】
装置本体１２から引き出される貨幣処理ユニット１４の主体部３２には、図示略の入金識別部で真紙幣と識別された紙幣を金種別に一時貯留する一時貯留部４４〜４６が上部に設けられており、その下側に、図示は略すが、各一時貯留部４４〜４６から紙幣を受け入れる金種別の収納カセットが設けられている。金種別の収納カセットは収納している紙幣を一枚ずつ繰り出して出金可能となっている。
【００２４】
貨幣処理ユニット１４には、紙幣の移動を案内する紙幣搬送路を形成するベルトやローラ等からなる図示略の紙幣搬送路形成部材と、紙幣搬送路形成部材を駆動する図２に示す搬送駆動モータ５１と、紙幣搬送路の分岐点で紙幣を振り分ける図示略の振分部材と、振分部材を駆動する図２に示すソレノイド５２と、紙幣搬送路における紙幣の有無を検知する複数の光学式の図２に示す紙幣検知センサ５３とが設けられている。
【００２５】
図１に示すように、装置本体１２の上部の側面には、操作者の手動操作によりオンされる手動メインスイッチ６１（主電源入切手段）が設けられている。
【００２６】
また、図２に示すように、貨幣処理ユニット１３には、操作者の手動操作によりオンおよびオフが切り替えられる手動ユニットスイッチ６３（手動スイッチ）が設けられている。この手動ユニットスイッチ６３は、図示は略すが、貨幣処理ユニット１３における、これが閉状態にあるとき装置本体１２に覆われて露出せず、これが開状態にあるとき装置本体１２に覆われずに露出する部分に設けられている。つまり、貨幣処理ユニット１３には、装置本体１２に押し込まれると操作不可であり装置本体１２から引き出されると操作可能な位置に手動ユニットスイッチ６３が設けられている。
【００２７】
図１に示すように、貨幣処理ユニット１４には、これが閉状態にあるとき装置本体１２に覆われて露出せず、これが開状態にあるとき装置本体１２に覆われずに露出する主体部３２の側面に、操作者の手動操作によりオンおよびオフが切り替えられる手動ユニットスイッチ６４（手動スイッチ）が設けられている。つまり、貨幣処理ユニット１４には、装置本体１２に押し込まれると操作不可であり装置本体１２から引き出されると操作可能な位置に手動ユニットスイッチ６４が設けられている。
【００２８】
よって、図２に示すように、複数の貨幣処理ユニット１３，１４には、貨幣処理ユニット毎に手動ユニットスイッチが設けられており、言い換えれば複数の貨幣処理ユニット１３，１４のそれぞれに個別に手動ユニットスイッチが設けられている。
【００２９】
装置本体１２は、先端に電源プラグ７５が設けられた電源ケーブル７６を有しており、貨幣処理装置１０が設置される建屋の電源コンセント７７に電源プラグ７５が差し込まれることで商用電源等の外部電源７８から例えばＡＣ１００Ｖの電源供給を受ける。
【００３０】
装置本体１２には、上記した手動メインスイッチ６１と、主電源制御部８１（主電源入切手段）と、操作者の操作入力を受け付ける操作部８２（主電源入切手段）と、操作者に向けて情報表示を行う表示部８３と、ＯＳを搭載したメイン制御部８４（主電源入切手段）と、貨幣処理ユニット１３，１４への電源供給を制御する電源供給制御部８５と、データ入力部８６とが設けられている。電源ケーブル７６は主電源制御部８１に接続されており、よって、貨幣処理装置１０は、外部電源７８からの電源供給を主電源制御部８１が受ける。
【００３１】
主電源制御部８１は、メイン制御部８４および電源供給制御部８５への電源供給を制御するもので、手動メインスイッチ６１に接続されており、手動メインスイッチ６１がオン状態にあるかオフ状態にあるかでメイン制御部８４および電源供給制御部８５への電源供給を変更する。つまり、主電源制御部８１は、主電源がオフの状態で手動メインスイッチ６１がオン操作されると、手動メインスイッチ６１をオン状態として、メイン制御部８４および電源供給制御部８５へ主電源を供給する状態（つまり装置本体１２の主電源がオンの状態）となる。また、主電源制御部８１は、主電源がオンの状態で操作部８２へ電源シャットダウン操作が入力されると、メイン制御部８４の電源シャットダウン処理に伴い、手動メインスイッチ６１をオフ状態にするとともに、メイン制御部８４および電源供給制御部８５へ主電源を供給しない状態（つまり装置本体１２の主電源がオフの状態）となる。つまり、手動メインスイッチ６１と主電源制御部８１と操作部８２とメイン制御部８４とが、主電源のオンとオフとを切り替える。
【００３２】
貨幣処理ユニット１３には、駆動系部品である上記した搬送駆動モータ２５およびソレノイド２６を含む駆動系部品群９１への電源供給を制御する駆動系制御部９２と、センサ系部品である上記した複数の紙幣検知センサ２７を含むセンサ系部品群９３への電源供給を制御するセンサ系制御部９４とが設けられている。
【００３３】
駆動系制御部９２は、装置本体１２の電源供給制御部８５から供給された電源を制御して駆動系部品群９１を構成する搬送駆動モータ２５およびソレノイド２６等の駆動系部品のそれぞれに対して対応する電圧の電源を供給するものである。センサ系制御部９４は、装置本体１２の電源供給制御部８５から供給された電源を制御してセンサ系部品群９３を構成する複数の紙幣検知センサ２７等のセンサ系部品のそれぞれに対して対応する電圧の電源を供給するものである。
【００３４】
ここで、駆動系制御部９２が貨幣処理ユニット１３に設けられた駆動系部品のそれぞれに対して供給する駆動系電源は、ＡＣ１００Ｖ（第１電圧）やＤＣ２４Ｖ（第１電圧）の電源であり、センサ系制御部９４が貨幣処理ユニット１３に設けられたセンサ系部品のそれぞれに対して供給するセンサ系電源は、ＤＣ５Ｖ（第２電圧）やＤＣ１２Ｖ（第２電圧）の電源である。センサ系制御部９４が貨幣処理ユニット１３に設けられたセンサ系部品のそれぞれに対して供給するセンサ系電源の最大値は、駆動系制御部９２が貨幣処理ユニット１３に設けられた駆動系部品のそれぞれに対して供給する駆動系電源の最小値よりも低電圧となっている。言い換えれば、貨幣処理ユニット１３において、すべての駆動系部品は、供給を受ける電圧がいずれのセンサ系部品よりも高い高電圧部品であり、すべてのセンサ系部品は、供給を受ける電圧がいずれの駆動系部品よりも低い低電圧部品となっている。
【００３５】
貨幣処理ユニット１３には、装置本体１２の電源供給制御部８５と駆動系制御部９２との電気回路上の間位置に、インタロック部９５（自動切替手段）が設けられている。インタロック部９５は、閉状態にある貨幣処理ユニット１３が装置本体１２から引き出されると装置本体１２の電源供給制御部８５から貨幣処理ユニット１３の駆動系制御部９２への駆動系電源の供給をオフする。また、インタロック部９５は、貨幣処理ユニット１３が装置本体１２に押し込まれて閉状態になると装置本体１２の電源供給制御部８５から貨幣処理ユニット１３の駆動系制御部９２への駆動系電源の供給をオンする。
【００３６】
貨幣処理ユニット１３には、装置本体１２の電源供給制御部８５とセンサ系制御部９４との電気回路上の間位置に、上記した手動ユニットスイッチ６３が設けられている。手動ユニットスイッチ６３は、電源供給制御部８５とセンサ系制御部９４とを繋ぐ電気回路を手動操作により切ったり繋いだりするメカ的接点を有するスイッチである。手動ユニットスイッチ６３は、装置本体１２の電源供給制御部８５から貨幣処理ユニット１３のセンサ系制御部９４への、駆動系電源よりも低いセンサ系電源の供給のオンとオフとを切り替える。その際に、手動ユニットスイッチ６３は、装置本体１２の主電源のオンを維持したまま貨幣処理ユニット１３のセンサ系電源のオンとオフとを切り替える。手動ユニットスイッチ６３は、貨幣処理ユニット１３における低電圧側のセンサ系電源の入切を行うものである。
【００３７】
貨幣処理ユニット１４には、駆動系部品である上記した搬送駆動モータ５１およびソレノイド５２を含む駆動系部品群１０１への電源供給を制御する駆動系制御部１０２と、センサ系部品である上記した複数の紙幣検知センサ５３を含むセンサ系部品群１０３への電源供給を制御するセンサ系制御部１０４とが設けられている。
【００３８】
駆動系制御部１０２は、装置本体１２の電源供給制御部８５から供給された電源を制御して駆動系部品群１０１を構成する搬送駆動モータ５１およびソレノイド５２等の駆動系部品のそれぞれに対して対応する電圧の電源を供給するものである。センサ系制御部１０４は、装置本体１２の電源供給制御部８５から供給された電源を制御してセンサ系部品群１０３を構成する複数の紙幣検知センサ５３等のセンサ系部品のそれぞれに対して対応する電圧の電源を供給するものである。
【００３９】
ここで、駆動系制御部１０２が貨幣処理ユニット１４に設けられた駆動系部品のそれぞれに対して供給する駆動系電源は、ＡＣ１００Ｖ（第１電圧）やＤＣ２４Ｖ（第１電圧）の電源であり、センサ系制御部１０４が貨幣処理ユニット１４に設けられたセンサ系部品のそれぞれに対して供給するセンサ系電源は、ＤＣ５Ｖ（第２電圧）やＤＣ１２Ｖ（第２電圧）の電源である。センサ系制御部１０４が貨幣処理ユニット１４に設けられたセンサ系部品のそれぞれに対して供給するセンサ系電源の最大値は、駆動系制御部１０２が貨幣処理ユニット１４に設けられた駆動系部品のそれぞれに対して供給する駆動系電源の最小値よりも低電圧となっている。言い換えれば、貨幣処理ユニット１４において、すべての駆動系部品は、供給を受ける電圧がいずれのセンサ系部品よりも高い高電圧部品であり、すべてのセンサ系部品は、供給を受ける電圧がいずれの駆動系部品よりも低い低電圧部品となっている。
【００４０】
貨幣処理ユニット１４には、装置本体１２の電源供給制御部８５と駆動系制御部１０２との電気回路上の間位置に、インタロック部１０５（自動切替手段）が設けられている。インタロック部１０５は、閉状態にある貨幣処理ユニット１４が装置本体１２から引き出されると装置本体１２の電源供給制御部８５から貨幣処理ユニット１４の駆動系制御部１０２への駆動系電源の供給をオフする。また、インタロック部１０５は、貨幣処理ユニット１４が装置本体１２に押し込まれて閉状態になると装置本体１２の電源供給制御部８５から貨幣処理ユニット１４の駆動系制御部１０２への駆動系電源の供給をオンする。
【００４１】
貨幣処理ユニット１４には、装置本体１２の電源供給制御部８５とセンサ系制御部１０４との電気回路上の間位置に、上記した手動ユニットスイッチ６４が設けられている。手動ユニットスイッチ６４は、電源供給制御部８５とセンサ系制御部１０４とを繋ぐ電気回路を手動操作により切ったり繋いだりする機械的なスイッチである。手動ユニットスイッチ６４は、装置本体１２の電源供給制御部８５から貨幣処理ユニット１４のセンサ系制御部１０４へのセンサ系電源の供給のオンとオフとを切り替える。その際に、手動ユニットスイッチ６４は、装置本体１２の主電源のオンを維持したまま貨幣処理ユニット１４のセンサ系電源のオンとオフとを切り替える。手動ユニットスイッチ６４は、貨幣処理ユニット１４の低電圧側のセンサ系電源の入切を行うものである。
【００４２】
装置本体１２のメイン制御部８４は、ソフトウエアのメンテナンスを行うソフトウエアメンテナンス手段１１０を有している。つまり、操作部８２への操作入力でソフトウエアメンテナンスモードが選択されると、データ入力部８６に接続されたメモリ装置１１１から新しいソフトウエアを読み込んでソフトウエアの更新を行うソフトウエアメンテナンス処理を行う。データ入力部８６に接続されたメモリ装置１１１から新しいソフトウエアを読み込む以外にもインターネット経由で新しいソフトウエアをダウンロードしてソフトウエアの更新を行うことも可能である。
【００４３】
以上の構成の参考技術の貨幣処理装置１０は、電源プラグ７５が電源コンセント７７に差し込まれて外部電源７８から電源が供給可能な状態で手動メインスイッチ６１がオン操作されると、外部電源７８から供給された電源を主電源制御部８１がメイン制御部８４および電源供給制御部８５に供給する。これにより、メイン制御部８４の制御で貨幣の入出金処理等を行う。
【００４４】
その際に、電源供給制御部８５が、一方で、貨幣処理ユニット１３の駆動系制御部９２にオン状態のインタロック部９５を介して駆動系電源を供給することになり、これを受けて駆動系制御部９２が駆動系部品群９１の搬送駆動モータ２５およびソレノイド２６等の駆動系部品に電源を供給する。また、電源供給制御部８５が貨幣処理ユニット１３のセンサ系制御部９４にオン状態の手動ユニットスイッチ６３を介してセンサ系電源を供給することになり、これを受けてセンサ系制御部９４がセンサ系部品群９３の複数の紙幣検知センサ２７等のセンサ系部品に電源を供給する。
【００４５】
電源供給制御部８５は、他方で、貨幣処理ユニット１４の駆動系制御部１０２にオン状態のインタロック部１０５を介して駆動系電源を供給することになり、これを受けて駆動系制御部１０２が駆動系部品群１０１の搬送駆動モータ５１およびソレノイド５２等の駆動系部品に電源を供給する。また、電源供給制御部８５が貨幣処理ユニット１４のセンサ系制御部１０４にオン状態の手動ユニットスイッチ６４を介してセンサ系電源を供給することになり、これを受けてセンサ系制御部１０４がセンサ系部品群１０３の複数の紙幣検知センサ５３等のセンサ系部品に電源を供給する。
【００４６】
メンテナンスのため、操作者が貨幣処理ユニット１３を装置本体１２から引き出すと、インタロック部９５が、電源供給制御部８５から貨幣処理ユニット１３の駆動系制御部９２への駆動系電源の供給を遮断することになり、貨幣処理ユニット１３の駆動系電源がオフの状態となる。
【００４７】
このとき、貨幣処理ユニット１３の露出する手動ユニットスイッチ６３をオン状態とすれば、電源供給制御部８５から貨幣処理ユニット１３のセンサ系制御部９４へセンサ系電源を供給することになり、貨幣処理ユニット１３のセンサ系電源がオンの状態となる。このときは、複数の紙幣検知センサ２７等のセンサ系部品は電源が供給されることになり、センサ系部品の通電状態での検査等を行うことができる。
【００４８】
他方、手動ユニットスイッチ６３をオフ状態とすれば、電源供給制御部８５から貨幣処理ユニット１３のセンサ系制御部９４へセンサ系電源を供給しない状態になり、貨幣処理ユニット１３のセンサ系電源がオフの状態となる。このときは、複数の紙幣検知センサ２７等のセンサ系部品は電源が供給されない状態になり、電気回路のショートを防止することができる。よって、この状態では、貨幣処理ユニット１３において電気回路のショートを防止しつつ内部のジャム処理や清掃、不具合部品の交換等を行うことができる。
【００４９】
同様に、メンテナンスのため、操作者が貨幣処理ユニット１４を装置本体１２から引き出すと、インタロック部１０５が、電源供給制御部８５から貨幣処理ユニット１４の駆動系制御部１０２への駆動系電源の供給を遮断することになり、貨幣処理ユニット１４の駆動系電源がオフの状態となる。
【００５０】
このとき、貨幣処理ユニット１４の露出する手動ユニットスイッチ６４をオン状態とすれば、電源供給制御部８５から貨幣処理ユニット１４のセンサ系制御部１０４へセンサ系電源を供給することになり、貨幣処理ユニット１４のセンサ系電源がオンの状態となる。このときは、複数の紙幣検知センサ５３等のセンサ系部品は電源が供給されることになり、センサ系部品の通電状態での検査等を行うことができる。
【００５１】
他方、手動ユニットスイッチ６４をオフ状態とすれば、電源供給制御部８５から貨幣処理ユニット１４のセンサ系制御部１０４へセンサ系電源を供給しない状態になり、貨幣処理ユニット１４のセンサ系電源がオフの状態となる。このときは、複数の紙幣検知センサ５３等のセンサ系部品は電源が供給されない状態になり、電気回路のショートを防止することができる。よって、この状態では、貨幣処理ユニット１４において電気回路のショートを防止しつつ内部のジャム処理や清掃、不具合部品の交換等を行うことができる。
【００５２】
このように、複数の貨幣処理ユニット１３，１４について、手動ユニットスイッチ６３，６４の操作により、ユニット単位でセンサ系電源のオンとオフとを切り替えることができる。
【００５３】
ここで、メイン制御部８４のソフトウエアメンテナンス手段１１０は、装置本体１２の主電源のオンを維持したまま手動ユニットスイッチ６３が貨幣処理ユニット１３の電源をオフした状態で、ソフトウエアのメンテナンスを実行可能である。このため、操作者は、装置本体１２から引き出して行う貨幣処理ユニット１３のメンテナンスを、メイン制御部８４のＯＳに関係する処理であるソフトウエアのメンテナンスと並行して行うことができる。同様に、ソフトウエアメンテナンス手段１１０は、装置本体１２の主電源のオンを維持したまま手動ユニットスイッチ６４が貨幣処理ユニット１４の電源をオフした状態で、ソフトウエアのメンテナンスを実行可能である。このため、操作者は、装置本体１２から引き出して行う貨幣処理ユニット１４のメンテナンスを、ソフトウエアのメンテナンスと並行して行うことができる。ソフトウエアのメンテナンス以外にも、メイン制御部８４が行うログデータの収集等についても、貨幣処理ユニット１３，１４のメンテナンスと並行して行うことができる。
【００５４】
以上に述べた参考技術の貨幣処理装置１０によれば、手動ユニットスイッチ６３が、装置本体１２の主電源のオンを維持したまま貨幣処理ユニット１３の電源のオンとオフとを切り替えるため、装置本体１２の電源をオフすることなく貨幣処理ユニット１３の電源をオフすることができる。また、手動ユニットスイッチ６４が、装置本体１２の主電源のオンを維持したまま貨幣処理ユニット１４の電源のオンとオフとを切り替えるため、装置本体１２の電源をオフすることなく貨幣処理ユニット１４の電源をオフすることができる。よって、装置全体の主電源をオフせずとも、作業対象となる貨幣処理ユニット１３，１４の電源のみをオフすることが可能となり、装置本体１２から貨幣処理ユニット１３，１４を引き出した状態で生じ得る貨幣処理ユニット１３，１４の電源のショートの可能性を簡易に低減することができる。したがって、メインＣＰＵであるメイン制御部８４を含む装置本体１２に係る保守作業と貨幣処理ユニット１３，１４に係る保守作業とを並行して行うことができ、保守作業効率を向上できる。
【００５５】
また、手動ユニットスイッチ６３は、装置本体１２に対し貨幣処理ユニット１３が押し込まれると操作不可であり引き出されると操作可能な位置に設けられているため、メンテナンスのため貨幣処理ユニット１３が装置本体１２から引き出されなければ操作されることはなく、装置本体１２に対し貨幣処理ユニット１３が押し込まれた状態での誤操作を防止することができる。同様に、手動ユニットスイッチ６４は、装置本体１２に対し貨幣処理ユニット１４が押し込まれると操作不可であり引き出されると操作可能な位置に設けられているため、メンテナンスのため貨幣処理ユニット１４が装置本体１２から引き出されなければ操作されることはなく、装置本体１２に対し貨幣処理ユニット１４が押し込まれた状態での誤操作を防止することができる。
【００５６】
また、貨幣処理ユニット１３が装置本体１２から引き出されるとインタロック部９５が装置本体１２から貨幣処理ユニット１３への駆動系電源の供給をオフに自動的に切り替えるため、貨幣処理ユニット１３の駆動系電源については、メンテナンスのため貨幣処理ユニット１３が装置本体１２から引き出されると自動的にオフ状態になる。これに対して、手動ユニットスイッチ６３は、駆動系電源の電圧よりも低くオフすることを忘れても影響が比較的小さいセンサ系電源の供給のオンとオフとを切り替えることになる。このように、オフすることを忘れると影響が比較的大きい駆動系電源については、メンテナンスのため貨幣処理ユニット１３が装置本体１２から引き出されると自動的にオフ状態にしてショートを防止することができる。同様に、メンテナンスのため貨幣処理ユニット１４が装置本体１２から引き出されるとインタロック部１０５が装置本体１２から貨幣処理ユニット１４への駆動系電源の供給をオフに自動的に切り替えるため、オフすることを忘れると影響が比較的大きい駆動系電源については、メンテナンスのため貨幣処理ユニット１４が装置本体１２から引き出されると自動的にオフ状態にしてショートを防止することができる。
【００５７】
また、複数の貨幣処理ユニット１３，１４毎に手動ユニットスイッチが設けられているため、各貨幣処理ユニット１３，１４の電源のオンとオフとを各手動ユニットスイッチ６３，６４で個別に切り替えることができる。
【００５８】
また、ソフトウエアメンテナンス手段１１０は、装置本体１２の主電源のオンを維持したまま手動ユニットスイッチ６３，６４の少なくとも一方が貨幣処理ユニット１３，１４の少なくとも一方の電源をオフした状態で、ソフトウエアのメンテナンスを実行可能であるため、メンテナンスのために貨幣処理ユニット１３，１４の少なくとも一方の電源がオフとなっていても、ソフトウエアのメンテナンスを実行できる。貨幣処理ユニット１３，１４の少なくとも一方のメンテナンスと、ソフトウエアメンテナンス手段１１０によるソフトウエアのメンテナンスを並行して行うことができ、効率を上げることができる。
【００５９】
なお、インタロック部９５を設けずに、手動ユニットスイッチ６３を、電源供給制御部８５と、駆動系制御部９２およびセンサ系制御部９４の両方との間に設けて、手動ユニットスイッチ６３で貨幣処理ユニット１３の駆動系電源およびセンサ系電源の両方のオンとオフとを同時に切り替えるように構成しても良い。同様に、インタロック部１０５を設けずに、手動ユニットスイッチ６４を、電源供給制御部８５と、駆動系制御部１０２およびセンサ系制御部１０４の両方との間に設けて、手動ユニットスイッチ６４で貨幣処理ユニット１４の駆動系電源およびセンサ系電源の両方のオンとオフとを同時に切り替えるように構成しても良い。
【００６０】
参考技術は、主電源のオンとオフとを切り替える主電源入切手段を有する装置本体と、該装置本体から引き出し可能な貨幣処理ユニットと、を有し、前記装置本体の主電源のオンを維持したまま前記貨幣処理ユニットの電源のオンとオフとを切り替える手動スイッチが、前記装置本体に対し前記貨幣処理ユニットが押し込まれると操作不可であり引き出されると操作可能な位置に設けられていることを特徴とする。
【００６１】
これにより、手動スイッチが、装置本体の主電源のオンを維持したまま貨幣処理ユニットの電源のオンとオフとを切り替えるため、装置本体の主電源をオフすることなく貨幣処理ユニットの電源をオフすることができる。よって、装置本体から貨幣処理ユニットを引き出した状態で生じ得る貨幣処理ユニットの電源のショートの可能性を簡易に低減することができる。したがって、装置本体に係る保守作業と貨幣処理ユニットに係る保守作業とを並行して行うことができ、保守作業効率を向上することができる。また、手動スイッチが、装置本体に対し貨幣処理ユニットが押し込まれると操作不可であり引き出されると操作可能な位置に設けられているため、メンテナンスのため貨幣処理ユニットが装置本体から引き出されなければ操作されることはなく、装置本体に対し貨幣処理ユニットが押し込まれた状態での誤操作を防止することができる。
【００６２】
加えて、参考技術は、前記貨幣処理ユニットが前記装置本体から引き出されると前記装置本体から前記貨幣処理ユニットへの第１電圧の電源供給をオフし、前記貨幣処理ユニットが前記装置本体に押し込まれると前記装置本体から前記貨幣処理ユニットへの前記第１電圧の電源供給をオンする自動切替手段を有し、前記手動スイッチは、前記装置本体から前記貨幣処理ユニットへの、前記第１電圧よりも低い第２電圧の電源供給のオンとオフとを切り替えることを特徴とする。
【００６３】
これにより、貨幣処理ユニットが装置本体から引き出されると自動切替手段が装置本体から貨幣処理ユニットへの第１電圧の電源供給をオフするため、第１電圧の電源については、メンテナンスのため貨幣処理ユニットが装置本体から引き出されると自動的にオフ状態になる。また、手動スイッチは、第１電圧よりも低くオフすることを忘れても影響が比較的小さい第２電圧の電源供給のオンとオフとを切り替えることになる。このように、オフすることを忘れると影響が比較的大きい第１電圧の電源については、メンテナンスのため貨幣処理ユニットが装置本体から引き出されると自動的にオフ状態にしてショートを防止することができる。
【００６４】
本発明の第１実施形態に係る貨幣処理装置２１０を図３および図４を参照して以下に説明する。
【００６５】
第１実施形態に係る貨幣処理装置２１０は、貨幣に関する処理を行うものであり、複数の小束紙幣を結束して大束紙幣とするものである。貨幣処理装置２１０は、揺動により開閉可能なカバー２１１を有する装置本体２１２と、装置本体２１２内に組み込まれた貨幣処理ユニット２１３とを有している。貨幣処理ユニット２１３は、貨幣に関する処理である小束紙幣を結束する処理を主体的に行うものである。貨幣処理ユニット２１３は、カバー２１１が開かれると外部に露出して操作者によるアクセスが可能となる一方、カバー２１１が閉じられるとカバー２１１で覆われ露出しない状態になって操作者によるアクセスが不可となる開閉部２１４を上部に有している。
【００６６】
貨幣処理装置２１０の装置本体２１２には、複数の小束紙幣がセットされる小束紙幣セット部２２０が設けられている。貨幣処理ユニット２１３の開閉部２１４には、結束テープＴを保持するテープ保持部２２１と、結束テープＴを搬送する結束テープ搬送機構２２２とが設けられている。
【００６７】
結束テープ搬送機構２２２には、結束テープＴの移動を案内する図示略のテープ搬送路と、テープ搬送路で結束テープＴを送る図示略のローラと、このローラを駆動する図４に示す搬送駆動モータ２３１と、結束テープＴを切断する図示略のカッタを駆動する図４に示すソレノイド２３２と、テープ搬送路における結束テープＴの有無を検知する複数の光学式の図４に示すテープ検知センサ２３３とが設けられている。
【００６８】
図３に示すように、装置本体２１２の側面には、操作者の手動操作によりオンされる手動メインスイッチ２４１が設けられている。
【００６９】
図４に示すように、装置本体２１２は、先端に電源プラグ２４５が設けられた電源ケーブル２４６を有しており、貨幣処理装置２１０が設置される建屋の電源コンセント２４７に電源プラグ２４５が差し込まれることで商用電源等の外部電源２４８から例えばＡＣ１００Ｖの電源供給を受ける。
【００７０】
図３に示すように、貨幣処理ユニット２１３の開閉部２１４には、操作者の手動操作によりオンおよびオフが切り替えられる手動ユニットスイッチ２４３（手動スイッチ）が設けられている。この手動ユニットスイッチ２４３は、貨幣処理ユニット２１３における、カバー２１１が閉状態にあるときカバー２１１に覆われて露出せず、カバー２１１が開状態にあるときカバー２１１に覆われずに露出する部分に設けられている。つまり、貨幣処理ユニット２１３には、カバー２１１が閉じられると操作不可でありカバー２１１が開かれると操作可能な位置に手動ユニットスイッチ２４３が設けられている。
【００７１】
図４に示すように、装置本体２１２には、上記した手動メインスイッチ２４１と、主電源制御部２５１（主電源入切手段）と、操作者の操作入力を受け付ける操作部２５２（主電源入切手段）と、操作者に向けて情報表示を行う表示部２５３と、ＯＳを搭載したメイン制御部２５４（主電源入切手段）と、貨幣処理ユニット２１３への電源供給を制御する電源供給制御部２５５と、データ入力部２５６とが設けられている。電源ケーブル２４６は主電源制御部２５１に接続されており、よって、貨幣処理装置２１０は、外部電源２４８からの電源供給を主電源制御部２５１が受ける。
【００７２】
主電源制御部２５１は、メイン制御部２５４および電源供給制御部２５５への電源供給を制御するもので、手動メインスイッチ２４１に接続されており、手動メインスイッチ２４１がオン状態にあるかオフ状態にあるかでメイン制御部２５４および電源供給制御部２５５への電源供給を変更する。つまり、主電源制御部２５１は、主電源がオフの状態で手動メインスイッチ２４１がオン操作されると、手動メインスイッチ２４１をオン状態として、メイン制御部２５４および電源供給制御部２５５へ主電源を供給する状態（つまり装置本体２１２の主電源がオンの状態）となる。また、主電源制御部２５１は、主電源がオンの状態で操作部２５２へ電源シャットダウン操作が入力されると、メイン制御部２５４の電源シャットダウン処理に伴い、手動メインスイッチ２４１をオフ状態にするとともに、メイン制御部２５４および電源供給制御部２５５へ主電源を供給しない状態（つまり装置本体２１２の主電源がオフの状態）となる。つまり、手動メインスイッチ２４１と主電源制御部２５１と操作部２５２とメイン制御部２５４とが、主電源のオンとオフとを切り替える。
【００７３】
貨幣処理ユニット２１３には、駆動系部品である上記した搬送駆動モータ２３１およびソレノイド２３２を含む駆動系部品群２６１への電源供給を制御する駆動系制御部２６２と、センサ系部品である上記した複数のテープ検知センサ２３３を含むセンサ系部品群２６３への電源供給を制御するセンサ系制御部２６４とが設けられている。
【００７４】
駆動系制御部２６２は、装置本体２１２の電源供給制御部２５５から供給された電源を制御して駆動系部品群２６１を構成する搬送駆動モータ２３１およびソレノイド２３２等の駆動系部品のそれぞれに対して対応する電圧の電源を供給するものである。センサ系制御部２６４は、装置本体２１２の電源供給制御部２５５から供給された電源を制御してセンサ系部品群２６３を構成する複数のテープ検知センサ２３３等のセンサ系部品のそれぞれに対して対応する電圧の電源を供給するものである。
【００７５】
ここで、駆動系制御部２６２が貨幣処理ユニット２１３に設けられた駆動系部品のそれぞれに対して供給する駆動系電源は、ＡＣ１００Ｖ（第１電圧）やＤＣ２４Ｖ（第１電圧）の電源であり、センサ系制御部２６４が貨幣処理ユニット２１３に設けられたセンサ系部品のそれぞれに対して供給するセンサ系電源は、ＤＣ５Ｖ（第２電圧）やＤＣ１２Ｖ（第２電圧）の電源である。センサ系制御部２６４が貨幣処理ユニット２１３に設けられたセンサ系部品のそれぞれに対して供給するセンサ系電源の最大値は、駆動系制御部２６２が貨幣処理ユニット２１３に設けられた駆動系部品のそれぞれに対して供給する駆動系電源の最小値よりも低電圧となっている。言い換えれば、貨幣処理ユニット２１３において、すべての駆動系部品は、供給を受ける電圧がいずれのセンサ系部品よりも高い高電圧部品であり、すべてのセンサ系部品は、供給を受ける電圧がいずれの駆動系部品よりも低い低電圧部品となっている。
【００７６】
貨幣処理ユニット２１３には、装置本体２１２の電源供給制御部２５５と駆動系制御部２６２との電気回路上の間位置に、インタロック部２６５（自動切替手段）が設けられている。インタロック部２６５は、閉状態にあるカバー２１１が開かれると装置本体２１２の電源供給制御部２５５から貨幣処理ユニット２１３の駆動系制御部２６２への駆動系電源の供給をオフする。また、インタロック部２６５は、開状態にあるカバー２１１が閉じられると装置本体２１２の電源供給制御部２５５から貨幣処理ユニット２１３の駆動系制御部２６２への駆動系電源の供給をオンする。
【００７７】
貨幣処理ユニット２１３には、装置本体２１２の電源供給制御部２５５とセンサ系制御部２６４との電気回路上の間位置に、上記した手動ユニットスイッチ２４３が設けられている。手動ユニットスイッチ２４３は、電源供給制御部２５５とセンサ系制御部２６４とを繋ぐ電気回路を手動操作により切ったり繋いだりするメカ的接点を有するスイッチである。手動ユニットスイッチ２４３は、装置本体２１２の電源供給制御部２５５から貨幣処理ユニット２１３のセンサ系制御部２６４への、駆動系電源よりも低いセンサ系電源の供給のオンとオフとを切り替える。その際に、手動ユニットスイッチ２４３は、装置本体２１２の主電源のオンを維持したまま貨幣処理ユニット２１３のセンサ系電源のオンとオフとを切り替える。手動ユニットスイッチ２４３は、貨幣処理ユニット２１３における低電圧側のセンサ系電源の入切を行うものである。
【００７８】
なお、インタロック部２６５を設けずに、手動ユニットスイッチ２４３を、電源供給制御部２５５と、駆動系制御部２６２およびセンサ系制御部２６４の両方との間に設けて、手動ユニットスイッチ２４３で貨幣処理ユニット２１３の駆動系電源およびセンサ系電源の両方のオンとオフとを同時に切り替えるように構成しても良い。
【００７９】
装置本体２１２のメイン制御部２５４は、データ入力部２５６に接続されたメモリ装置２７１から新しいソフトウエアを読み込んでアップグレードを行う参考技術と同様のソフトウエアメンテナンス手段２７０を有している。
【００８０】
以上の構成の第１実施形態の貨幣処理装置２１０は、電源プラグ２４５が電源コンセント２４７に差し込まれて外部電源２４８から電源が供給可能な状態で手動メインスイッチ２４１がオン操作されると、外部電源２４８から供給された電源を主電源制御部２５１がメイン制御部２５４および電源供給制御部２５５に供給する。これにより、メイン制御部２５４の制御で複数の小束紙幣を結束して大束紙幣とする処理を行う。
【００８１】
その際に、電源供給制御部２５５が、貨幣処理ユニット２１３の駆動系制御部２６２にオン状態のインタロック部２６５を介して駆動系電源を供給することになり、これを受けて駆動系制御部２６２が駆動系部品群２６１の搬送駆動モータ２３１およびソレノイド２３２等の駆動系部品に電源を供給する。また、電源供給制御部２５５は、貨幣処理ユニット２１３のセンサ系制御部２６４にオン状態の手動ユニットスイッチ２４３を介してセンサ系電源を供給することになり、これを受けてセンサ系制御部２６４がセンサ系部品群２６３の複数のテープ検知センサ２３３等のセンサ系部品に電源を供給する。
【００８２】
電源供給制御部２５５は、他方で、貨幣処理ユニット２１３の駆動系制御部２６２にオン状態のインタロック部２６５を介して駆動系電源を供給することになり、これを受けて駆動系制御部２６２が駆動系部品群２６１の搬送駆動モータ２３１およびソレノイド２３２等の駆動系部品に電源を供給する。また、電源供給制御部２５５が貨幣処理ユニット２１３のセンサ系制御部２６４にオン状態の手動ユニットスイッチ２４３を介してセンサ系電源を供給することになり、これを受けてセンサ系制御部２６４がセンサ系部品群２６３の複数のテープ検知センサ２３３等のセンサ系部品に電源を供給する。
【００８３】
メンテナンスのため、操作者がカバー２１１を開けて貨幣処理ユニット２１３の開閉部２１４を露出させると、インタロック部２６５が、電源供給制御部２５５から貨幣処理ユニット２１３の駆動系制御部２６２への駆動系電源の供給を遮断することになり、貨幣処理ユニット２１３の駆動系電源がオフの状態となる。
【００８４】
このとき、貨幣処理ユニット２１３の露出する手動ユニットスイッチ２４３をオン状態とすれば、電源供給制御部２５５から貨幣処理ユニット２１３のセンサ系制御部２６４へセンサ系電源を供給することになり、貨幣処理ユニット２１３のセンサ系電源がオンの状態となる。このときは、複数のテープ検知センサ２３３等のセンサ系部品は電源が供給されることになり、センサ系部品の通電状態での検査等を行うことができる。
【００８５】
他方、手動ユニットスイッチ２４３をオフ状態とすれば、電源供給制御部２５５から貨幣処理ユニット２１３のセンサ系制御部２６４へセンサ系電源を供給しない状態になり、貨幣処理ユニット２１３のセンサ系電源がオフの状態となる。このときは、複数のテープ検知センサ２３３等のセンサ系部品は電源が供給されない状態になり、電気回路のショートを防止することができる。よって、この状態では、貨幣処理ユニット２１３において電気回路のショートを防止しつつ内部のテープジャムの処理や清掃、不具合部品の交換等を行うことができる。
【００８６】
ここで、メイン制御部２５４のソフトウエアメンテナンス手段２７０は、装置本体２１２の主電源のオンを維持したまま手動ユニットスイッチ２４３が貨幣処理ユニット２１３の電源をオフした状態で、ソフトウエアのメンテナンスを実行可能である。このため、操作者は、装置本体２１２のカバー２１１を開いて行う貨幣処理ユニット２１３のメンテナンスを、メイン制御部２５４のソフトウエアのメンテナンスと並行して行うことができる。
【００８７】
以上に述べた第１実施形態の貨幣処理装置２１０によれば、手動ユニットスイッチ２４３が、装置本体２１２の主電源のオンを維持したまま貨幣処理ユニット２１３の電源のオンとオフとを切り替えるため、装置本体２１２の電源をオフすることなく貨幣処理ユニット２１３の電源をオフすることができる。よって、装置本体２１２のカバー２１１を開くことで露出する貨幣処理ユニット２１３の開閉部２１４で生じ得る電源のショートの可能性を簡易に低減することができる。
【００８８】
また、手動ユニットスイッチ２４３は、貨幣処理ユニット２１３の開閉部２１４を外部に露出させる際に開かれるカバー２１１が閉じられると操作不可であり、このカバー２１１が開かれると操作可能な位置に設けられているため、貨幣処理ユニット２１３のメンテナンスのためカバー２１１が開かれなければ操作されることはなく、カバー２１１が閉じられた状態での誤操作を防止することができる。
【００８９】
また、装置本体２１２のカバー２１１が開かれて貨幣処理ユニット２１３の開閉部２１４が外部に露出させられると、インタロック部２６５が装置本体２１２から貨幣処理ユニット２１３への駆動系電源の供給をオフに自動的に切り替えるため、貨幣処理ユニット２１３の駆動系電源については、貨幣処理ユニット２１３のメンテナンスのため装置本体２１２のカバー２１１が開かれると自動的にオフ状態になる。これに対して、手動ユニットスイッチ２４３は、駆動系電源の電圧よりも低くオフすることを忘れても影響が比較的小さいセンサ系電源の供給のオンとオフとを切り替えることになる。このように、オフすることを忘れると影響が比較的大きい駆動系電源については、メンテナンスのため装置本体２１２のカバー２１１が開かれて貨幣処理ユニット２１３の開閉部２１４が外部に露出させられると自動的にオフ状態にしてショートを防止することができる。
【００９０】
また、ソフトウエアメンテナンス手段２７０は、装置本体２１２の主電源のオンを維持したまま手動ユニットスイッチ２４３が貨幣処理ユニット２１３の電源をオフした状態で、ソフトウエアのメンテナンスを実行可能であるため、メンテナンスのために貨幣処理ユニット２１３の電源がオフとなっていても、ソフトウエアのメンテナンスを実行できる。貨幣処理ユニット２１３のメンテナンスと、ソフトウエアメンテナンス手段２７０によるソフトウエアのメンテナンスを並行して行うことができ、効率を上げることができる。
【００９１】
以上の第１実施形態では、一つの貨幣処理ユニット２１３について、手動ユニットスイッチ２４３の操作によりセンサ系電源のオンとオフとを切り替える場合を例にとり説明したが、複数の貨幣処理ユニットのそれぞれの開閉部をカバーで個別に開閉可能とし、各貨幣処理ユニットのカバーで覆われた開閉部に同様の手動ユニットスイッチを設けても良い。
【００９２】
また、一つの貨幣処理装置に装置本体から引き出される貨幣処理ユニットとカバーで開閉される貨幣処理ユニットとが両方設けられる場合には、装置本体から引き出される貨幣処理ユニットに関しては参考技術を、カバーで開閉される貨幣処理ユニットに関しては第１実施形態を、それぞれ適用すれば良い。
【００９３】
また、貨幣処理ユニット１３，１４，２１３がバッテリを搭載し、このバッテリの電源が少なくともセンサ系制御部９４，１０４，２６４に供給される場合に、電気回路上のバッテリとセンサ系制御部９４，１０４，２６４との間に手動ユニットスイッチ６３，６４，２６４を設ければ良い。
【符号の説明】
【００９４】
１０，２１０  貨幣処理装置
１２，２１２  装置本体
１３，１４，２１３  貨幣処理ユニット
６１，２４１  手動メインスイッチ（主電源入切手段）
６３，６４，２４３  手動ユニットスイッチ（手動スイッチ）
８１，２５１  主電源制御部（主電源入切手段）
８２，２５２  操作部（主電源入切手段）
８４，２５４  メイン制御部（主電源入切手段）
９５，１０５，２６５  インタロック部（自動切替手段）
１１０，２７０  ソフトウエアメンテナンス手段
２１１  カバー
２１４  開閉部
【図１】
2018185876.tif 000003
【図２】
2018185876.tif 000004
【図３】
2018185876.tif 000005
【図４】
2018185876.tif 000006